(57)【要約】【課題】ウォブル検出回路やＬＰＰ検出回路を飽和させることなく、ウォブル信号やＬＰＰ信号を安定して検出できる光ディスク装置を提供する。【解決手段】光ディスク装置１のＰＵヘッド２は、光ディスク１００のレーザ反射光からＲＦ信号とウォブル信号を検出する。制御部１０は光ディスク１００のマウント時に、光ディスク１００の反射率とディスク種別を検出する。また、制御部１０は、ＯＰＣ（Optimum Power Control）で最適記録パワーを検出する。制御部１０は、この反射率とディスク種別からゲイン決定用データテーブル１１を参照して、ＲＦ信号増幅回路３、ＡＧＣ回路４の増幅率を決定し、この決定した値をＲＦ信号増幅回路３、ＡＧＣ回路４に指示する。【選択図】図１
2007213671.tif 000002
【特許請求の範囲】
【請求項１】
本体にセットされている光ディスクに対する最適パワーを検出し、ここで検出した最適記録パワーに基づいてデータを記録する記録手段と、
前記光ディスクからの反射光からウォブル信号の検出および増幅と共に、これを出力するウォブル信号出力回路と、
前記光ディスクのマウント時に光ディスクの反射率を検出し、その反射率を基にディスク種別を検出するディスク種別検出手段と、
を備える光ディスク装置において、
最適記録パワーの値、前記反射率およびディスク種別と、前記ウォブル信号出力回路に指示する増幅率の値と、が予め対応付けられたデータテーブルを記憶する記憶手段と、
前記データテーブルから前記最適記録パワー検出手段が出力した最適記録パワーの値に対応する増幅率の値を参照することにより前記増幅率を決定する増幅率指示手段と、を備える光ディスク装置。
【請求項２】
本体にセットされている光ディスクに対する最適パワーを検出し、ここで検出した最適記録パワーに基づいてデータを記録する記録手段と、
前記光ディスクからの反射光からウォブル信号の検出および増幅と共に、これを出力するウォブル信号出力回路と、
を備える光ディスク装置において、
前記ウォブル信号出力回路の増幅率を前記最適記録パワーに応じて決定して、この決定した増幅率の値を前記ウォブル信号出力回路に指示する増幅率指示手段と、を備える光ディスク装置。
【請求項３】
さらに、最適記録パワーの値と、前記ウォブル信号出力回路に指示する増幅率の値と、が予め対応付けられたデータテーブルを記憶する記憶手段を備え、
前記増幅率指示手段は、前記データテーブルから前記最適記録パワー検出手段が出力した最適記録パワーの値に対応する増幅率の値を参照することにより前記増幅率を決定する、請求項２に記載の光ディスク装置。
【請求項４】
さらに、前記光ディスクのマウント時に、光ディスクの反射率を検出する反射率検出手段を備え、
前記記憶手段は、前記データテーブルを前記光ディスクの反射率に応じてそれぞれ記憶しており、
前記増幅率指示手段は、さらに前記光ディスクの反射率を参照することにより前記増幅率を決定する、請求項３に記載の光ディスク装置。
【請求項５】
さらに、前記反射率を基にディスク種別を検出するディスク種別検出手段を備え、
前記記憶手段は、前記データテーブルを前記光ディスクの種別に応じてそれぞれ記憶しており、
前記増幅率指示手段は、さらに前記光ディスクの種別を参照することにより前記増幅率を決定する、請求項４に記載の光ディスク装置。
【発明の詳細な説明】
【技術分野】
【０００１】
本発明は、ウォブル信号を適正に取得する光ディスク装置に関するものである。
【背景技術】
【０００２】
一般に情報記録媒体として用いられるＤＶＤ−Ｒ、ＤＶＤ−ＲＷ等の規格の光ディスクには、情報を記録する時の記録位置を検出するために必要なウォブル信号などが予め記録されている。ウォブル信号は、案内溝を光ディスクの半径方向に所定周期で蛇行して形成されるグルーブウォブリングにより予め記録されるものである。また、ＬＰＰ信号は、グルーブとグルーブの間のランドに予めピットとして記録されるものである。
【０００３】
従来の光ディスク装置では、光ディスクにレーザ光を照射し、レーザ反射光を４つの受光素子で得られた信号に対して、所定の減算処理を施して差動信号を生成し、この作動信号からウォブル信号とＬＰＰ信号とを検出していた。
【０００４】
差動信号は、振幅の強度を調整するために予めＡＧＣ（Automatic Gain Control）回路などの増幅回路により増幅したものを入力して差動回路に入力し、または差動信号を増幅して、ウォブル信号とＬＰＰ信号とを検出していた。
【０００５】
このような構成において、ウォブル信号を検出したり、アドレス情報を取得するためにはＡＧＣ回路の増幅率を適切に設定する必要があった。そこで、従来は光ディスクのマウント時に、ＲＦ信号の増幅率（ＲＦ増幅率）の大きさに応じたＡＧＣ回路の増幅率を予め設定していた。
【０００６】
また、従来、光ディスクからのデータ記録／再生時に、２つの増幅回路の出力信号が一定の振幅の強度でバランスするように増幅率を変化させる構成が開示されている。
【０００７】
また、データテーブルを用いて制御値を設定する方法としては、特許文献１には、ランニングＯＰＣ(Optimum Power Control)でデータを記録していく場合、光ディスクの種類、データ記録時の周囲の温度が異なるときに、所定のレーザパワーが出力されるように設定されたレーザパワーの補正値を予めテーブルに記憶しておき、レーザパワーを上昇させるときは、記憶手段から補正値分を上乗せしてレーザを照射する旨が開示されている。
【特許文献１】特開２００３−１９６８３４号公報
【発明の開示】
【発明が解決しようとする課題】
【０００８】
しかしながら、従来のように光ディスクのＡＰＣ（PowerCalibration Area）でＯＰＣ(OptimumPower Control)を行なうことにより決定した記録パワー値で記録して、その際に得られる反射光でＲＦ信号を出力すると、単にバランス調整を行っただけでは、記録パワーが強い場合には、ＡＧＣ回路の出力信号が適正な振幅の強度にならず、この出力信号が入力されるウォブル検出回路等が飽和してしまう問題があった。その結果、情報を記録する時の記録位置を検出するために必要な情報が正確に得られず、データ記録が不安定となる場合がある問題があった。
【０００９】
特許文献１は、記録パワーが強い場合にウォブル信号出力回路の出力信号を調整する旨の開示はされていない。
【００１０】
本発明はこのような従来の課題を解決しようとするものであり、ウォブル信号やＬＰＰ信号を安定して検出できる光ディスク装置を提供することを目的とする。
【課題を解決するための手段】
【００１１】
本発明の光ディスク装置は、前記課題を解決するために以下の構成を備えている。
【００１２】
（１）本発明は、
本体にセットされている光ディスクに対する最適パワーを検出し、ここで検出した最適記録パワーに基づいてデータを記録する記録手段と、
前記光ディスクからの反射光からウォブル信号の検出および増幅と共に、これを出力するウォブル信号出力回路と、
を備える光ディスク装置において、
前記ウォブル信号出力回路の増幅率を前記最適記録パワーに応じて決定して、この決定した増幅率の値を前記ウォブル信号出力回路に指示する増幅率指示手段と、を備える。
【００１３】
この構成では、増幅率指示手段は、ウォブル信号出力回路の増幅率を最適記録パワー検出手段で定めた最適記録パワーに応じて決定し、この決定した増幅率の値を前記ウォブル信号出力回路に指示する。これにより、ウォブル信号出力回路の増幅率がウォブル信号の検出する上で適正となり、ウォブル信号を安定して検出できる。
【００１４】
（２）本発明は、
さらに、最適記録パワーの値と、前記ウォブル信号出力回路に指示する増幅率の値と、が予め対応付けられたデータテーブルを記憶する記憶手段を備え、
前記増幅率指示手段は、前記データテーブルから前記最適記録パワー検出手段が出力した最適記録パワーの値に対応する増幅率の値を参照することにより前記増幅率を決定する。
【００１５】
この構成では、前記増幅率指示手段が最適記録パワーの値と、前記ウォブル信号出力回路に指示する増幅率の値と、が予め対応付けられたデータテーブルを有しているから、このデータテーブルを参照することで容易に適正な増幅率を決定することができる。
【００１６】
（３）本発明は、
さらに、前記光ディスクのマウント時に、光ディスクの反射率を検出する反射率検出手段を備え、
前記記憶手段は、前記データテーブルを前記光ディスクの反射率に応じてそれぞれ記憶しており、
前記増幅率指示手段は、さらに前記光ディスクの反射率を参照することにより前記増幅率を決定する。
【００１７】
前述のとおり、受光素子で検出される信号の振幅の強度に調整しなければ、ウォブル検出回路等が飽和してしまう問題が生じうる。ここで、このウォブル検出回路等の飽和するか否かは、（１）の構成で示したような最適記録パワーの値だけでなく、光ディスクの反射率にも影響される。この構成では光ディスクの反射率に応じて、ウォブル信号出力回路の増幅率を決定するデータテーブルを複数記憶しており、これを参照して前記増幅率を決定するから、（１）、（２）の構成に増して、ウォブル信号出力回路の増幅率がウォブル信号の検出する上で適正となり、ウォブル信号を安定して検出できる。
【００１８】
（４）本発明は、
さらに、前記反射率を基にディスク種別を検出するディスク種別検出手段を備え、
前記記憶手段は、前記データテーブルを前記光ディスクの種別に応じてそれぞれ記憶しており、
前記増幅率指示手段は、さらに前記光ディスクの種別を参照することにより前記増幅率を決定する。
【００１９】
この構成では、ディスク種別検出手段が光ディスクの種別、例えばＣＤ−ＲＯＭ、ＣＤ−Ｒ、ＤＶＤ−ＲＯＭ、ＤＶＤ−Ｒ、ＤＶＤ＋Ｒなどの種別をレーザ光の反射率から検出し、この光ディスクの反射率に応じて、ウォブル信号出力回路の増幅率を決定するデータテーブルを複数記憶しておりこれを参照して前記増幅率を決定するから、（１）〜（３）の構成に増して、ウォブル信号出力回路の増幅率がウォブル信号の検出する上で適正となり、ウォブル信号を安定して検出できる。
【発明の効果】
【００２０】
この発明によれば、光ディスクの記録パワーや反射率に基づいて、ウォブル信号出力回路の増幅率を決定するので、ウォブル信号を検出する上で増幅率が適正となり、ウォブル信号を安定して検出できる。その結果、光ディスクの記録パワーや反射率による影響を除いて、ウォブル信号を安定して検出できる。
【発明を実施するための最良の形態】
【００２１】
＜本実施形態の光ディスク装置の概略説明＞
以下、図１を用いて本発明の実施形態である光ディスク装置の概略について説明する。
図１は、光ディスク装置１の構成の一部を示すブロック図である。光ディスク装置１は、光ディスク装置１本体の動作を制御する制御部１０と、光ディスク１００にレーザ光を照射しその反射光を検出するピックアップ（ＰＵ）ヘッド２と、光ディスク１００に記録されているデータの読取を行う記録／再生処理回路７等を備えている。
【００２２】
本実施形態の装置は、ＲＦ信号増幅回路３、ＡＧＣ回路４の制御に特長がある。ＲＦ信号増幅回路３は、ＲＦ信号を増幅して記録／再生処理回路７に出力する。ＡＧＣ回路４（Automatic Gain Control）は、図１に示すように４つに分割されたフォトディテクタ２３で得られた検知信号について所定の公知の計算を行なって得られた信号を増幅し、ウォブル検出回路５、ランドプリピット検出回路６に出力する。ＡＧＣ回路４で増幅した信号には、ウォブル信号とランドプリピット（以下、「ＬＰＰ信号」という。）信号が含まれている。ウォブル信号や（ＬＰＰ）信号は、情報を記録する時の記録位置を検出するために必要であり、これらは光ディスク１００に予め記録されている。ウォブル信号は、案内溝を光ディスクの半径方向に所定周期で蛇行して形成されるグルーブウォブリングにより予め記録されるものであり、ディスクの回転速度などを検出するのに用いる。また、ＬＰＰ信号は、グルーブとグルーブの間のランドに予めピットとして記録されるものである。ランドプリピット検出回路５とウォブル検出回路６は、ＡＧＣ回路４の出力からウォブル信号やＬＰＰ信号を抽出する。
【００２３】
光ディスク１００へのデータのデータ記録時には、光ディスク１００で反射した反射光を検出するフォトディテクタ２３の検知信号の振幅の強度が大きくなる。その結果、ＲＦ信号増幅回路３の出力先の記録／再生処理回路７の内部の素子が飽和することにより悪影響を与えたり、ウォブル検出回路５、ランドプリピット検出回路６が飽和して光ディスク１００の位置情報を取得できずデータ記録が不安定になる恐れがある。そこで、本実施形態の光ディスク装置１の制御部１０は、制御部１０内部のＲＯＭに格納された増幅率決定用データテーブル１１を参照して適切な増幅率を設定してＲＦ信号増幅回路３、ＡＧＣ回路４に出力する。この増幅率決定用データテーブル１１には、データ記録時のレーザダイオード２１の光の出力強度である記録パワー、マウント時に測定するディスクの反射率、ディスクの種別によって、増幅率が定められており、これらの要素の値から増幅率決定用データテーブル１１を参照して増幅率を決定する。
【００２４】
＜本実施形態の光ディスク装置１の構成の説明＞
図１を用いて、光ディスク装置１について説明する。光ディスク装置１は、光ディスク１００にレーザ光を照射しその反射光を検出するピックアップ（ＰＵ）ヘッド２と、光ディスク１００から読み取ったＲＦ信号を増幅して記録／再生処理回路７に出力するＲＦ信号増幅回路３を備えている。
また光ディスク装置１は、光ディスク１００の所定のトラックに追従させるためのアクチュエータ２４を駆動するため、駆動回路３２、ＦＥ（Forcus Error）／ＴＥ（TrackingError）生成部３１を備えている。
また、光ディスク装置１は、光ディスク１００に記録されているデータの読取を行う記録／再生処理回路７と、データ記録時にレーザ出力を調整するレーザパワー制御回路７０、レーザ駆動回路７１と、再生時に記録／再生処理回路７のデータをデコードするデコーダ７２を備えている。
また、光ディスク装置１は、ディスク上にデータを記録する場合に記録する位置を表すウォブル信号とＬＰＰ信号を増幅して記録／再生処理回路７に出力するＡＧＣ回路４（Automatic Gain Control）、ウォブル検出回路５、ランドプリピット検出回路６を備えている。
また、光ディスク装置１は、光ディスク装置１本体の動作を制御する制御部１０を備える。以下それぞれ説明する。
【００２５】
ＰＵヘッド２について説明する。ＰＵヘッド２は、公知の光ディスク装置と同様に、ピックアップレンズ２０、レーザダイオード２１、ビームスプリッタ２２、フォトディテクタ２３、コリメータレンズ（不図示）などを備えている。また、ＰＵヘッド２は、２つのアクチュエータ２４（光ディスク１００に照射するレーザ光の焦点をその光軸方向に移動させるフォーカシングアクチュエータと、前記レーザ光を光ディスク１００の半径方向に移動させるトラッキングアクチュエータを含む。）を備えている。
【００２６】
ビームスプリッタ２２は、レーザダイオード１１の出射光と光ディスク２からの反射光とを分ける。フォトディテクタ２３は、光ディスク２からの反射光を検出する。コリメータレンズは、点光源であるレーザダイオード１１の出射光を平行光に変換する。
【００２７】
このようなＰＵヘッド２の構成により、レーザダイオード２１は後述のレーザ駆動回路７１の駆動により、所定の強度でレーザ光を出力する。このレーザ光はコリメータレンズを経てビームスプリッタ２２で反射して、ピックアップレンズ２０で光ディスク１００表面に集光される。また、このレーザ光は光ディスク１００で反射し、この反射光は４つのフォトディテクタ２３で検出され、フォトディテクタ２３はそれぞれ検出信号を出力する。アクチュエータ２４は、後述の駆動回路３２の駆動によりレーザ光を所望の記録トラックに追随させる。
【００２８】
ＲＦ信号増幅回路３について説明する。ＲＦ信号増幅回路３は、フォトディテクタ２３で検出された４つの検知信号を全加算したＲＦ信号を増幅する。このＲＦ信号は光ディスク１００上のデータを読み取るために用いる。また、このＲＦ信号の増幅率は制御部１０が設定した増幅率設定信号１２の入力に基づき設定する。
【００２９】
ＦＥ／ＴＥ生成部３１、駆動回路３２について説明する。ＦＥ／ＴＥ生成部３１は、光検出器１３から出力された信号に基づいて、公知の方法によりフォーカスエラー信号（ＦＥ信号）ＦＥを生成する。例えば、フォーカスエラーは、フォトディテクタ２３の４つの検知信号を右回りにＡ，Ｂ，Ｃ，Ｄとすると、ＦＥ＝（Ａ＋Ｃ）−（Ｂ＋Ｄ）の演算により算出する。ＦＥ／ＴＥ生成部３１はこれらＦＥ、ＴＥを駆動回路３２に出力し、駆動回路３２はこれらのＦＥ、ＴＥに基づいてアクチュエータ２４を駆動する信号を生成する。
【００３０】
記録／再生処理回路７、レーザパワー制御回路７０、レーザ駆動回路７１、デコーダ７２について説明する。記録／再生処理回路７は、ＲＦ信号から光ディスク１００のデータ記録面の記録トラックによる反射率の変化を検出する。再生時にはＲＦ信号増幅回路３から出力されたデータに対して、記録／再生処理回路７内部の再生回路で光ディスク１００での記録トラックの有無に従った２値化を行う。この再生回路としては、一般的なデータ再生のための回路構成を用いればよい。レーザパワー制御回路７０は、レーザの強度を制御するものであり、光ディスク１００のデータ記録時には、データ記録および消去するのに必要なレーザ強度の信号をレーザダイオード２１に与える。読み出し時には、これらの強度より弱い強度の信号をレーザダイオード２１に与える。デコーダ７２は、信号処理回路２３で処理されたＲＦ信号を再生信号にデコードする。
【００３１】
ＡＧＣ回路４は、２つの独立した増幅器を備え、ＰＵヘッド２のフォトディテクタで検出した所定の検知信号のうち、半径方向に配列した受光素子により出力されたものを各々増幅する。また、それぞれ制御部１０が設定した増幅率設定信号１３を入力する。これにより、ＡＧＣ回路４は、増幅率設定信号１３に従った増幅率でこの検知信号を増幅する。これによりＡＧＣ回路４の出力信号は、光ディスク１００のグルーブウォブリングとＬＰＰによる反射率の変化を検出するのに適正な振幅の強度になる。ＡＧＣ回路４の出力信号は、ウォブル検出回路５とＬＰＰ検出回路６に出力する。
【００３２】
ウォブル検出回路５、ＬＰＰ検出回路６はＡＧＣ回路４の出力からそれぞれウォブル信号、ＬＰＰ信号を抽出する。このウォブル検出回路５およびＬＰＰ検出回路６としては、既知のウォブル検出およびＬＰＰ検出のための回路構成を用いればよい。例えば、ウォブルの検出については、上述の半径方向に配列した受光素子の入力を増幅する増幅器の出力について差分演算を行えば、半径方向のウォブルを検出できる。ウォブル信号とＬＰＰ信号は、図示しない後段の再生回路に出力する。ウォブル信号は記録クロックを生成し、光ディスクの回転数を制御するために使用する。また、ＬＰＰ信号は記録クロックを生成し、アドレス情報を検出するために使用する。
【００３３】
なお、ＡＧＣ回路４、ウォブル検出回路５によるウォブルの検出は、上述の半径方向に配列した受光素子の出力について差分演算を行なってから、ＡＧＣ回路４で増幅することにより行なっても良い。また、図１では、ウォブルの検出に２つの受光素子を用いているが、公知の手段により、４つの受光素子の出力を用いて演算しても良い。
【００３４】
制御部１０について説明する。制御部１０は、図示していない信号処理ＬＳＩやメモリ、ＲＯＭなどで構成され各種信号処理を行う。制御部１０は、レーザパワー制御回路７０、ＲＦ信号増幅回路３、ＡＧＣ回路４など、光ディスク装置１の各部を制御する。また、制御部１０内の図示しないＲＯＭには、データ記録時にＲＦ信号増幅回路３、ＡＧＣ回路４に指示すべき増幅率を決定するための増幅率決定用データテーブル１１が格納されている。
【００３５】
＜増幅率決定用データテーブルの説明＞
次に、図２を用いて増幅率決定用データテーブル１１について説明する。図２は、図１で示した増幅率決定用データテーブル１１を表している。図２（Ａ）は、ＤＶＤ−Ｒの場合、図２（Ｂ）は、ＤＶＤ−ＲＷの場合を示している。制御部１０は、ディスクの種別それぞれについて、増幅率決定用データテーブル１１を記憶している。
【００３６】
図２（Ａ）、（Ｂ）に示すように、増幅率決定用データテーブル１１には、ディスクの種別、データ記録時にレーザダイオード２１へ与える記録パワー、反射率から、ＲＦ信号増幅回路３、ＡＧＣ回路４に設定すべき増幅率を参照することができる。例えば、図２（Ａ）に示すテーブルのうちディスクがＤＶＤ−Ｒ、反射率が「低い」、記録パワーが「１６ｍＷ未満」の場合のＲＦ増幅ゲインは−６ｄＢに設定する。また図２（Ｂ）に示すテーブルのうち、ディスクがＤＶＤ−ＲＷ、反射率が「高い」、記録パワーが「１６ｍＷ以上」の場合のＡＧＣゲインは０ｄＢに設定する。
【００３７】
ここで、図２中、ＲＦ増幅ゲインはＲＦ信号増幅回路３に設定する増幅率を表し、ＡＧＣゲインはＡＧＣ回路４に設定する増幅率を表している。記録パワーは後述のＯＰＣ(Optimum Power Control)で決定するパワーであり、この実施形態ではレーザ駆動回路７１のレーザダイオード２１への出力が１６ｍＷを越えるか否かで増幅率を場合分けしている。また増幅率決定用データテーブル１１は、ディスクの反射率についても増幅率の場合分けを行っている。図２中、反射率の「高い」、「低い」を区別する閾値は、図２（Ａ）、（Ｂ）とも、例えば反射率を５０％とすることができるし、ディスクの種別に応じてこの閾値を変えることも可能である。
【００３８】
次にＲＦ信号増幅回路３、ＡＧＣ回路４の増幅率を調整する意義について説明する。まず、光ディスク１００へのデータ記録時には、レーザダイオード２１へ与える記録パワーは大きいから、光ディスク１００で反射した反射光を検出するフォトディテクタ２３の検知信号の振幅の強度が大きくなる。その結果、ＲＦ信号増幅回路３の出力先の記録／再生処理回路７の内部の素子が飽和することにより悪影響を与えたり、ウォブル検出回路５、ランドプリピット検出回路６が飽和して光ディスク１００の位置情報を取得できずデータ記録が不安定になる恐れがある。そこで、本実施形態の光ディスク装置１の制御部１０は、増幅率決定用データテーブル１１を参照して適切な増幅率を設定して増幅率設定信号１２、１３をＲＦ信号増幅回路３、ＡＧＣ回路４に出力する。
【００３９】
次に、ＲＦ信号増幅回路３、ＡＧＣ回路４の増幅率を決定するための入力について説明する。検知信号の振幅の強度に影響するのは、主として記録パワー、光ディスクの反射率である。また、光ディスク１００の種別により、図２に示す増幅率決定用データテーブル１１の反射率の閾値や記録パワーの閾値を変化させる方が好ましい場合もありうる。そこで、図２に示す増幅率決定用データテーブル１１は、光ディスク１００の種別、反射率、記録パワーを入力として、ＲＦ信号増幅回路３、ＡＧＣ回路４に設定するゲインを求めることができるようにする。
【００４０】
次に、増幅率決定用データテーブル１１の記録パワー、光ディスクの反射率について説明する。
記録パワーは、ＯＰＣ(OptimumPower Control)で決定する。ＯＰＣは、図示しない方法により、光ディスクへのデータの記録開始に先立って、この光ディスクの所定の記録領域（ＰＣＡ（Power Calibration Area））で照射するレーザ光の記録パワーを予め定められた範囲で段階的に（例えば１６段階）変化させながらテストデータを記録し、光ディスクへのデータの記録時に出力するレーザ光の最適記録パワーを検出する。
【００４１】
光ディスクの反射率は、光ディスクの種別・ばらつき等によって変動し、例えば追記形光ディスクと書換形光ディスクとでは、反射率が異なり、又同じ記録方式の光ディスクでも型番によって反射率が異なる。また、データ記録面には記録トラックが形成されているため、データの記録済領域（記録トラックが形成されている領域）と未記録領域（記録トラックが形成されていない領域）とによって反射率が異なってくる。また、グルーブウォブリングや、ＬＰＰによっても反射率が影響を受ける。
【００４２】
光ディスク１００のディスク反射率の算出は、制御部１０により行う。具体的には、光ディスク１００のマウント時にレーザダイオード２１から照射するレーザ光が全反射されたときの光量信号の強度を基準に、実際に光ディスク１００から反射される光量信号の強度を求めてディスク反射率を算出する。
【００４３】
以上説明した増幅率決定用データテーブル１１によれば、ＲＦ信号増幅回路３、ＡＧＣ回路４の増幅率を容易に求めることができ、制御部１０はＲＦ信号増幅回路３、ＡＧＣ回路４の出力信号を適正な振幅の強度に設定することができる。また、ＡＧＣ回路４の増幅率が、従来のように他の増幅回路の影響を受けることが少ないので、ＡＧＣ回路４に他の増幅回路のノイズが加わることが無く、この点からもＡＧＣ回路４の出力信号を安定させることができる。
【００４４】
なお、データの記録時のうち、実際に高出力の記録パワーを出力している間にも、ＲＦ信号を取得できるが、このＲＦ信号を利用する必要性はなく、記録／再生処理回路７内部の素子が飽和したとしてもデータが検出できないといった問題は生じない。しかし、飽和するような信号を出力すると記録／再生処理回路７内部にノイズを撒き散らしたりする恐れがあること、記録／再生処理回路７の回路の保護のため、図２に示すように増幅率を下げる。
【００４５】
また、図２では、反射率に応じて２つに場合分けしたが３つ以上でも良いし、また、ディスクの種別は、ＤＶＤ−Ｒ、ＤＶＤ−ＲＷのみならず他の光ディスクについて増幅率決定用データテーブル１１を用意しても良い。
【００４６】
＜増幅率設定処理の処理フローの説明＞
次に、図３を用いて制御部１０での増幅率設定処理を表すフローチャートについて説明する。図３は、データ記録時にＲＦ信号増幅回路３、ＡＧＣ回路４に指示すべき増幅率設定処理の処理フローを示している。なお、この処理フローは、マウント処理（ＳＴ２）、ＯＰＣ（ＳＴ３）といった本来他の目的のために使用する処理をも含んでおり、この増幅率設定はこれらの処理で得られたデータを用いて行う。
【００４７】
ＳＴ１について説明する。ＳＴ１では、光ディスク１００がセットされていない場合にはＮとなり待機し、ディスクがセットされた場合にはＹとなりＳＴ２へ移動する。
【００４８】
ＳＴ２について説明する。ＳＴ２では光ディスク１００のマウント処理ＳＴ２１〜ＳＴ２３を行う。ＳＴ２１では、ディスク表面にレーザ光を反射光を検出してディスク反射率の検出などの各種測定を行い、測定結果をメモリに記録する。走査を終えるとレーザダイオードはオフする。ＳＴ２３では、ＲＯＭに記録されているディスク反射率からディスク種別を検出する。ここで、光ディスク１００が装置仕様に対応していないなど、ディスク種別を検出できない場合には、エラー表示およびイジェクト処理を行う。エラー表示およびイジェクト処理については、一般的な処理を用いればよくここでは詳述しない。
【００４９】
次に、ＳＴ３について説明する。ＳＴ３では、前述したＯＰＣを行なうものであり、ＳＴ３１〜ＳＴ３３の処理を行う。ＳＴ３１では、ＰＵヘッド２を走査して、光ディスク１００のＰＣＡ（Power Calibration Area）に移動させる。ＳＴ３２では、レーザ光の記録パワーを予め定められた範囲で段階的に（例えば１６段階）変化させながらテストデータを記録する。ＳＴ３３では、ＳＴ３２で段階的に変化させた光ディスク１００の位置から、光ディスク１００の記録に最適なレーザ光の最適記録パワーを検出する。なお、この最適記録パワーは、光ディスク１００へのデータの記録時にレーザ駆動回路７１を駆動するのに用いる。
【００５０】
次に、ＳＴ４、ＳＴ５について説明する。ＳＴ４では、ＳＴ２、ＳＴ３の処理の過程で得られた光ディスク１００の種別、光ディスク１００の反射率、最適記録パワーに基づいて、増幅率決定用データテーブル１１を参照して、ＲＦ信号増幅回路３、ＡＧＣ回路４に設定すべき増幅率を決定する。ＳＴ５では、ＳＴ４で決定した増幅率を設定するため、増幅率設定信号１２、１３をＲＦ信号増幅回路３、ＡＧＣ回路４に出力する。
【図面の簡単な説明】
【００５１】
【図１】本実施形態の光ディスク装置の概略構成を説明するブロック図
【図２】本実施形態の光ディスク装置の増幅率を決定するためのテーブルを表す図
【図３】本実施形態の光ディスク装置の増幅率設定処理を表すフローチャート
【符号の説明】
【００５２】
１−光ディスク装置、  １０−制御部、  １１−増幅率決定用データテーブル
２−ＰＵヘッド、  ２０−ピックアップレンズ、  ２１−レーザダイオード
２２−ビームスプリッタ、  ２３−フォトディテクタ、  ２４−アクチュエータ
３−ＲＦ信号増幅回路、  ３１−ＦＥ／ＴＥ生成部、  ３２−駆動回路
４−ＡＧＣ、  ５−ウォブル検出回路、  ６−ランドプリピット検出回路
７−記録／再生処理回路、  ７０−レーザパワー制御回路
７１−レーザ駆動回路、  ７２−デコーダ
１００−光ディスク
【図１】
2007213671.tif 000003
【図２】
2007213671.tif 000004
【図３】
2007213671.tif 000005